(57)【要約】      （修正有）【課題】防犯機能付きブラインドに関し、単に侵入者の存在を知らせるだけでなく、侵入を阻止するような機能を備えるとともに、低コストで提供する。【解決手段】窓内側に昇降自在にして設けられるブラインドにおいて、額縁ガイドの溝内において上下に張架されると共にスラット２の端部の貫通孔に挿通されて当該スラット２の端部が溝内部から引き出されないように係止しているガイド線５と、前記スラット２を上下に連結する導電線でありこれが切断若しくは極端に伸びた場合に前記導電線に接続された制御装置及び警報手段を介して警報が作動するようにされる防犯用センサー６と、前記ブラインドが降ろされている際に窓枠７の下部に配設され当該ブラインドの連結紐を繋着する繋着手段８とからなる。【選択図】図３
2007255051.tif 000002
【特許請求の範囲】
【請求項１】
窓内側に昇降自在にして設けられるブラインドにおいて、
前記ブラインドを構成する複数の可撓性のある薄板状スラットと、
該スラットが併設されている方向に直交して該スラットを横断して連結する連結紐と、  前記水平に架設されるスラットの左右両端部を溝内に納めて昇降をガイドするとともにカバーする額縁ガイドと、
該額縁ガイドの溝内において上下に張架されると共に前記スラットの端部の貫通孔に挿通されて当該スラットの端部が溝内部から引き出されないように係止しているガイド線と、
前記スラットを上下に連結する導電線でありこれが切断若しくは極端に伸びた場合に前記導電線に接続された制御装置及び警報手段を介して警報が作動するようにされる防犯用センサーと、
前記ブラインドが降ろされている際に窓枠の下部に配設され当該ブラインドの連結紐を繋着する繋着手段と、からなること、
を特徴とする防犯機能付きブラインド。
【請求項２】
ガイド線は、ピアノ線であること、
を特徴とする請求項１に記載の防犯機能付きブラインド。
【発明の詳細な説明】
【技術分野】
【０００１】
本発明は、一般住宅やビルディング等の建築物における窓開口部からの不法な侵入を防ぐことに貢献する防犯機能付きブラインドに関するものである。
【背景技術】
【０００２】
従来、建築物に不法に侵入する者は、物陰に隠れて内部に侵入しようとするので、窓開口部から侵入することが多い。窓開口部の防犯手段に関しては、施錠装置にロック機構を設けたり、二重ロックにしたり、ガラス窓に貼着したセンサーにより警報装置を作動させたりするも等のが知られている。一般に、侵入者は、短時間で内部に侵入しようとするので、侵入するのに時間が掛かることを嫌う。一説には、５分程度といわれる。そこで、前記窓部分の防犯手段を備えると共に、窓内側のブラインドにも、防犯機能を持たせることで、侵入に手間取らせることで防犯とすることが提案されている。
【０００３】
例えば、室内への侵入者を感知する人感センサーと、この人感センサーが侵入者を感じると、その信号で連続して昇降したりスラットが回転したりする電動ブラインドとでなるブラインド装置が提案されている（特許文献１参照）。
【特許文献１】特開２００４−３３２３５０号公報
【発明の開示】
【発明が解決しようとする課題】
【０００４】
しかし、従来の防犯機能付きブラインドでは、周囲の人に侵入者の存在を知らせようとするものであり、若しくは、侵入者にその存在に気づいていることを警告し、あきらめさせようとするものであり、ブラインド自体が侵入者の侵入を物理的に阻止するものではない。このブラインド自体にも侵入者の侵入を阻止する物理的な手段があれば、更に、侵入に手間取るものであり、防犯効果が高まると期待される。そこで、本発明に係る防犯機能付きブラインドは、このような課題を解決するために提案されたものである。
【課題を解決するための手段】
【０００５】
本発明に係る防犯機能付きブラインドの上記課題を解決して目的を達成するための要旨は、窓内側に昇降自在にして設けられるブラインドにおいて、前記ブラインドを構成する複数の可撓性のある薄板状スラットと、該スラットが併設されている方向に直交して該スラットを横断して連結する連結紐と、前記水平に架設されるスラットの左右両端部を溝内に納めて昇降をガイドするとともにカバーする額縁ガイドと、該額縁ガイドの溝内において上下に張架されると共に前記スラットの端部の貫通孔に挿通されて当該スラットの端部が溝内部から引き出されないように係止しているガイド線と、前記スラットを上下に連結する導電線でありこれが切断若しくは極端に伸びた場合に前記導電線に接続された制御装置及び警報手段を介して警報が作動するようにされる防犯用センサーと、前記ブラインドが降ろされている際に窓枠の下部に配設され当該ブラインドの連結紐を繋着する繋着手段と、からなることである。
また、前記ガイド線は、ピアノ線であることを含むものである。
【発明の効果】
【０００６】
本発明の防犯機能付きブラインドによれば、侵入者が窓を外したり、ガラスを破って錠を開けたりして、室内に侵入しようとした場合に、本発明のブラインドが下まで降ろされていることで、手でこのブラインドを押したり引いたりする。しかし、連結紐が繋着手段により繋着されていてスラットを容易に持ち上げることができない。また、当該スラットが前記ガイド線で係止されているので、額縁ガイドから容易に外すことができず、侵入までに時間が掛かる。このように、ブラインドによって侵入が妨害されることは想定外であり、侵入者がとまどい、結局侵入をあきらめるようになる。
【０００７】
また、無理に、前記スラットを押したり引いたりして、防犯用センサーを切断させる等した場合には、警報装置が作動する。これにより、周囲に侵入者の存在が知られるようになり、侵入を阻止することができる。更に、本発明の防犯機能付きブラインドは、構造が簡易で、その組立も容易であるので、低コストで実現することができる。
【発明を実施するための最良の形態】
【０００８】
本発明に係る防犯機能付きブラインド１は、図１乃至図３に示すように、窓内側に昇降自在にして設けられるブラインドにおいて、前記ブラインドを構成する複数の可撓性のある薄板状スラット２と、該スラット２が併設されている方向に直交して該スラット２を横断して連結する連結紐３とがある。
【０００９】
更に、前記水平に架設されるスラット２の左右両端部を溝内に納めて昇降をガイドするとともにカバーする額縁ガイド４と、該額縁ガイド４の溝内において上下に張架されると共に前記スラット２の端部の貫通孔２ａに挿通されて当該スラット２の端部が溝内部から引き出されないように係止しているガイド線５とがある。
【００１０】
更に、前記スラット２を上下に連結する導電線でありこれが切断若しくは極端に伸びた場合に前記導電線に接続された制御装置及び警報手段を介して警報が作動するようにされる防犯用センサー６と、前記ブラインドが降ろされている際に窓枠７の下部に配設され当該ブラインドの連結紐３を繋着する繋着手段８とから、概ね構成されている。
【００１１】
前記額縁ガイド４は、図２及び図４に示すように、断面がコ字型で、金属製の例えばアルミニウム製で剛性なガイド枠材であり、建築物の躯体９に固定されている。
【００１２】
前記ガイド線５は、例えばピアノ線からなり、容易にカッター等で切断されないようにしている。このガイド線５は、ブラインド用枠部材の上部と下部とに、上下方向に緊張して架設されている。前記スラット２が無理に引っ張られても、逆に押し込まれても、そのスラット２の端部部が額縁ガイド４の溝内から容易に出ないようにするためである。
【００１３】
前記防犯センサー６は、図１に示すように、左右方向に２カ所程度において設けられ、上下方向においては、ブラインド１の全長に亘って張設する。これにより、前記スラット２を無理に引っ張ったり押し開いたりすると、導電線が切断される。それにより、制御装置を介して警報装置（図示せず）が作動するものである。具体的には、例えば、制御装置と導電線が電気的に接続され、制御装置と警報装置とが接続されているものである。前記導電線が切断されたことでその抵抗の変化で、前記制御装置が侵入者を検知して、それにより、警報装置のブザー等を鳴動させるものである。
【００１４】
前記繋着手段８は、例えば、金属製のフック等である。ここに、前記連結紐３の端部が繋着される。室外側から容易に手で前記連結紐の結び目を外せないように、フックにカバー等を設けるのが好ましい。これにより、ブラインド１のフラット２を持ち上げられないようになる。
【００１５】
以上のようにして構成される防犯機能付きブラインド１により、侵入者が、窓１０を外したり、これを一部破壊して錠を解錠して侵入しようとすると、スラット２が前記繋着手段により上に持ち上がらないので、侵入が邪魔される。
【００１６】
そこで、侵入者が、このスラット２を掴んで手前に引っ張ったり、室内側に押し込んだりしても、スラット２がその可撓性により変形するものの、前記ガイド線５によりスラット２の端部を額縁ガイド４の溝から容易に外すことができない。破壊されるわけではないので却って扱いにくく侵入に邪魔となる。
【００１７】
更に、このスリット２を上下に分けて入り込もうとしても侵入しづらく、勢い、無理にスラット２を引き出そうとすると、防犯用センサー６が切断され、それにより警報装置が作動し、警報がけたたましく鳴り響く。
【００１８】
こうして、侵入者は、窓１０から侵入するのに５分以上必要となり、思わぬ時間が掛かり、しかも、警報音や警告点滅光が周囲に発せられるので、侵入をあきらめざるを得なくなる。こうして、本発明の防犯機能付きブラインド１が窓１０の内側にあることで、侵入によけいな時間が掛かり、侵入者をして侵入をあきらめさせる効果を奏するものである。
【図面の簡単な説明】
【００１９】
【図１】本発明に係る防犯機能付きブラインド１の使用状態における正面図である。
【図２】同本発明の防犯機能付きブラインド１の使用状態における平面図である。
【図３】同本発明の防犯機能付きブラインド１の使用状態における側面図である。
【図４】同本発明の防犯機能付きブラインド１の使用状態における一部拡大平面図である。
【符号の説明】
【００２０】
１          防犯機能付きブラインド、
２          スラット、
３          連結紐、
４          額縁ガイド、    
５          ガイド線、 
６          防犯用センサー、  
７          窓枠、
８          繋着手段、
９          躯体、
１０        窓。
【図１】
2007255051.tif 000003
【図２】
2007255051.tif 000004
【図３】
2007255051.tif 000005
【図４】
2007255051.tif 000006